(57)【要約】【課題】サーチに要する時間を削減することを提供することが可能な移動局装置、そのサーチ方法、サーチプログラム、および、コンピュータ読み取り可能な記録媒体を提供する。【解決手段】移動局装置１は、複数の周波数チャンネルの信号を受信可能な無線部２０と、無線部２０により受信された第１の周波数チャンネルの信号に、基地局からの信号が含まれているか否かを検出する検出部４１と、この検出結果に基づいて、次の受信対象の周波数チャンネルとなる第２の周波数チャンネルを決定し、無線部２０を制御する周波数チャンネル制御部４２とを備えている。さらに、周波数チャンネル制御部４２は、第１の周波数チャンネルの全帯域等からなる第１帯域と、第２の周波数チャンネルの全帯域等からなる第２帯域とが重ならないように、第２の周波数チャンネルを決定する。【選択図】図１
2009021863.tif 000002
【特許請求の範囲】
【請求項１】
基地局と通信する移動局装置であって、
複数の周波数チャンネルの信号を受信可能な受信部と、
前記受信部により受信された第１の周波数チャンネルの信号に、基地局からの信号が含まれているか否かを検出する検出部と、
前記検出部による検出結果に基づいて、次の受信対象の周波数チャンネルとなる第２の周波数チャンネルを決定し、前記受信部を、当該第２の周波数チャンネルの信号を受信可能な状態に制御する制御部と、を備え、
前記制御部は、前記第１の周波数チャンネルの全帯域または前記第１の周波数チャンネルにおいて使用されると推定される第１の推定使用帯域からなる第１帯域と、前記第２の周波数チャンネルの全帯域または前記第２の周波数チャンネルにおいて使用されると推定される第２の推定使用帯域からなる第２帯域とが重ならないように、前記第２の周波数チャンネルを決定する
ことを特徴とする移動局装置。
【請求項２】
前記制御部は、予め設定される基地局からの送信周波数チャンネルの帯域幅のうち、最小の帯域幅から、前記第２帯域を求め、求めた前記第２帯域に基づいて、前記第２の周波数チャンネルを決定する
ことを特徴とする請求項１に記載の移動局装置。
【請求項３】
前記制御部は、第１の周波数チャンネルが属する周波数帯において予め定められた送信周波数の帯域幅から、前記第２帯域を求め、求めた前記第２帯域に基づいて、前記第２の周波数チャンネルを決定する
ことを特徴とする請求項１に記載の移動局装置。
【請求項４】
前記制御部は、前記第１の周波数チャンネルの信号から、前記第１帯域を特定し、特定した第１帯域に基づいて、前記第２の周波数チャンネルを決定する
ことを特徴とする請求項１から請求項３のいずれか１項に記載の移動局装置。
【請求項５】
前記制御部は、前記基地局からの信号に含まれる特定のシンボル系列に基づいて、前記第１帯域を特定する
ことを特徴とする請求項４に記載の移動局装置。
【請求項６】
前記制御部は、前記基地局から符号化されて送信された特定信号の復号結果から、前記第１帯域を特定する
ことを特徴とする請求項４に記載の移動局装置。
【請求項７】
前記制御部は、第１の周波数チャンネルが属する周波数帯において予め定められた送信周波数の帯域幅から、前記第１帯域を特定し、特定した第１帯域に基づいて、前記第２の周波数チャンネルを決定する
ことを特徴とする請求項１から請求項３のいずれか１項に記載の移動局装置。
【請求項８】
基地局と通信する移動局装置が基地局との通信を確立させる際に移動局装置に実行される移動局装置のサーチ方法であって、
複数の周波数チャンネルの信号を受信可能な受信段階と、
前記受信段階において受信された第１の周波数チャンネルの信号に、基地局からの信号が含まれているか否かを検出する検出段階と、
前記検出段階における検出結果に基づいて、次の受信対象の周波数チャンネルとなる第２の周波数チャンネルを決定し、当該第２の周波数チャンネルの信号を受信可能な状態に移動局装置を制御する制御段階と、を有し、
前記制御段階では、前記第１の周波数チャンネルの全帯域または前記第１の周波数チャンネルにおいて使用されると推定される第１の推定使用帯域からなる第１帯域と、前記第２の周波数チャンネルの全帯域または前記第２の周波数チャンネルにおいて使用されると推定される第２の推定使用帯域からなる第２帯域とが重ならないように、前記第２の周波数チャンネルを決定する
ことを特徴とする移動局装置のサーチ方法。
【請求項９】
前記制御段階では、予め設定される基地局からの送信周波数チャンネルの帯域幅のうち、最小の帯域幅から、前記第２帯域を求め、求めた前記第２帯域に基づいて、前記第２の周波数チャンネルを決定する
ことを特徴とする請求項８に記載の移動局装置のサーチ方法。
【請求項１０】
前記制御段階では、第１の周波数チャンネルが属する周波数帯において予め定められた送信周波数の帯域幅から、前記第２帯域を求め、求めた前記第２帯域に基づいて、前記第２の周波数チャンネルを決定する
ことを特徴とする請求項８に記載の移動局装置のサーチ方法。
【請求項１１】
前記制御段階では、前記第１の周波数チャンネルの信号から、前記第１帯域を求め、求めた第１帯域に基づいて、前記第２の周波数チャンネルを決定する
ことを特徴とする請求項８から請求項１０のいずれか１項に記載の移動局装置のサーチ方法。
【請求項１２】
前記制御段階では、前記基地局からの信号に含まれる特定のシンボル系列に基づいて、前記第１帯域を特定する
ことを特徴とする請求項１１に記載の移動局装置のサーチ方法。
【請求項１３】
前記制御段階では、前記基地局から符号化されて送信された特定信号の復号結果から、前記第１帯域を特定する
ことを特徴とする請求項１１に記載の移動局装置のサーチ方法。
【請求項１４】
前記制御段階では、第１の周波数チャンネルが属する周波数帯において予め定められた送信周波数の帯域幅から、前記第１帯域を特定し、特定した第１帯域に基づいて、前記第２の周波数チャンネルを決定する
ことを特徴とする請求項８から請求項１０のいずれか１項に記載の移動局装置のサーチ方法。
【請求項１５】
前記請求項８から請求項１４のいずれか１項に記載のサーチ方法を、コンピュータに実行させることを特徴とするサーチプログラム。
【請求項１６】
前記請求項１５に記載のサーチプログラムを記録したことを特徴とするコンピュータ読み取り可能な記録媒体。
【請求項１７】
前記請求項１５に記載のサーチプログラムを読み込んで実行することを特徴とする移動局装置。
【発明の詳細な説明】
【技術分野】
【０００１】
本発明は、移動局装置、移動局装置のサーチ方法、サーチプログラム、および、コンピュータ読み取り可能な記録媒体に関する。
【背景技術】
【０００２】
近年、Ｗ−ＣＤＭＡ（Ｗｉｄｅｂａｎｄ−Ｃｏｄｅ  Ｄｉｖｉｓｉｏｎ  Ｍｕｌｔｉｐｌｅｘｉｎｇ  Ａｃｃｅｓｓ）方式をはじめとする第３世代移動体通信システム（３Ｇ）が世界的に普及してきている。また、さらなる高速通信を実現するため、次世代の移動体通信システムの検討が行われている。次世代の移動体通信システムとして、下りの通信速度が１００Ｍｂｐｓ〜１Ｇｂｐｓとなる第４世代移動体通信システム（４Ｇ）が検討されている。しかし、３Ｇと４Ｇとではシステム構成に大きな違いがある。そこで、３Ｇと４Ｇとの技術的、時間的なギャップを埋め、４Ｇへのスムーズな移行を実現するために、３Ｇと同一の周波数を使用し、４Ｇの候補となっている新技術を導入して、下りの通信速度が１００Ｍｂｐｓ程度を実現するＥ−ＵＴＲＡ（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ）が３ＧＰＰ（３ｒｄ  Ｇｅｎｅｒａｔｉｏｎ  Ｐａｒｔｎｅｒｓｈｉｐ  Ｐｒｏｊｅｃｔ）で活発に議論されている。
【０００３】
移動体通信システムでは、移動局装置の電源がＯＮされたときやユーザ操作によりネットワーク再検索が行われた場合などにおいて、移動局装置が基地局と通信を行うべく基地局から送信されている信号を受信して、タイミングや周波数同期をとるためのサーチ処理が行われている。例えば、Ｗ−ＣＤＭＡ方式では３段階セルサーチと呼ばれる方法が採用されている。
【０００４】
３段階セルサーチは、プライマリー同期チャンネルＰＳＣＨ（Ｐｒｉｍａｒｙ  Ｓｙｎｃｈｒｏｎｉｓａｔｉｏｎ  Ｃｈａｎｎｅｌ）とセカンダリー同期チャンネルＳＳＣＨ（Ｓｅｃｏｎｄａｒｙ  Ｓｙｎｃｈｒｏｎｉｓａｔｉｏｎ  Ｃｈａｎｎｅｌ）と共通パイロットチャンネルＣＰＩＣＨ（Ｃｏｍｍｏｎ  Ｐｉｌｏｔ  Ｃｈａｎｎｅｌ）とを使用するサーチ方法である。この３段階セルサーチでは、まず、プライマリー同期符号ＰＳＣ（Ｐｒｉｍａｒｙ  Ｓｙｎｃｈｒｏｎｉｓａｔｉｏｎ  Ｃｏｄｅ）を用いた相関検出によりスロットタイミングが検出される（第１段階）。次に、セカンダリー同期符号ＳＳＣ（Ｓｅｃｏｎｄａｒｙ  Ｓｙｎｃｈｒｏｎｉｓａｔｉｏｎ  Ｃｏｄｅ）を用いた相関検出によりフレームタイミングとスクランブリング符号群（Ｓｃｒａｍｂｌｉｎｇ  Ｃｏｄｅ  Ｇｒｏｕｐ）とが検出される（第２段階）。最後に、スクランブリング符号（Ｓｃｒａｍｂｌｉｎｇ  Ｃｏｄｅ）を用いた相関検出によりスクランブリング符号が検出される（第３段階）。
【０００５】
次世代の移動体通信システムであるＥ−ＵＴＲＡでは、３ＧのＷ−ＣＤＭＡ方式とは異なるＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多元接続）方式が採用されている。このＥ−ＵＴＲＡでは、６つの送信周波数帯域幅（１．２５ＭＨｚ、２．５ＭＨｚ、５ＭＨｚ、１０ＭＨｚ、１５ＭＨｚ、２０ＭＨｚ）が、基地局からの送信周波数帯域幅として定義されている。各国やネットワーク事業者それぞれには、運営方針に従った適切な運用を行えるように、６つの送信周波数帯域幅のいずれかが割り当てられることとなる。また、Ｅ−ＵＴＲＡでは、上記の３段階セルサーチと同様の考え方でセルサーチを行う方法が検討されている（非特許文献１および２参照）。
【０００６】
非特許文献１および２では、上記の３段階セルサーチにおいて同期チャンネルＳＣＨ（Ｓｙｎｃｈｒｏｎｉｚａｔｉｏｎ  Ｃｈａｎｎｅｌ）と、報知チャンネルＢＣＨ（Ｂｒｏａｄｃａｓｔ  Ｃｈａｎｎｅｌ）と、リファレンス信号（Ｒｅｆｅｒｅｎｃｅ  ｓｉｇｎａｌ）とが使用される。また、非特許文献１および２では、同期チャンネルＳＣＨ、報知チャンネルＢＣＨ、およびリファレンス信号について、時間軸上での送信タイミングや、周波数軸上でのサブキャリアの割り当てなどの、いくつかの候補が検討されている。
【０００７】
図１３および図１４は基本的な下りの無線フレーム構成を示した概念図である。１無線フレームは、１０ｍｓｅｃ長で構成され、１０個の１ｍｓｅｃ長のサブフレームからなっている。また、１サブフレームは、２個の０．５ｍｓｅｃ長のスロットから構成されている。さらに、下りの無線フレームは、周波数毎に割り当てられた複数サブキャリアと時間軸上において１スロットとからなる２次元のリソースブロックによって構成されている。１スロットは７シンボルから構成され、現在のところ、リソースブロックのサブキャリアの数は１２が有望である。
【０００８】
上記したように、セルサーチにおいて使用される信号は、ＳＣＨ、ＢＣＨ、およびリファレンス信号がある。それぞれの信号は以下のようにして無線フレームにマッピングされることが有力である。ＳＣＨは、ＰＳＣＨ（Ｐｒｉｍａｒｙ  ＳＣＨ）とＳＳＣＨ（Ｓｅｃｏｎｄａｒｙ  ＳＣＨ）の２つが定義されている。ＰＳＣＨについては無線フレームの０スロット目と１０スロット目の最後の１シンボルにマッピングされる。また、ＰＳＣＨは、送信帯域における中心周波数周辺の７２サブキャリアにマッピングされる。ＳＳＣＨについては、ＰＳＣＨの直前のシンボルにマッピングされている。ＢＣＨについてもＰＳＣＨと同様に、中心周波数の周りの７２サブキャリアにマッピングされる。しかし、ＢＣＨに関し、無線フレーム内のどのシンボルにマッピングされるかについては、未だ流動的である。リファレンス信号については、図１４に示すように、各スロットの０シンボル目と４シンボル目に、互い違いになるように、全送信帯域、全スロットに対してマッピングされている。
【０００９】
次に、Ｅ−ＵＴＲＡでのセルサーチ方法について説明する。Ｅ−ＵＴＲＡでは、まず、移動局装置がＰＳＣＨを受信することによりシンボルタイミングを検出する。ＰＳＣＨは、あるシンボル区間において周波数軸方向に存在する７２シンボルに定義されている。そして、ＰＳＣＨは、全基地局共通のシンボル系列として基地局から送信される。移動局装置では、この共通のシンボル系列を元に、自己相関や相互相関による相関検出によりＰＳＣＨを検出し、シンボルタイミングを特定する。ここで、自己相関は、例えば以下のようにして行われる。まず、基地局は、１シンボル区間の半分の時間で同じ時間波形となるようなシンボル系列を、ＰＳＣＨとして送信する。移動局装置は、１シンボル区間の半分の時間だけずらした受信信号同士の相関を取る。これにより、移動局装置は、ＰＳＣＨを送信しているタイミングにおいてのみ、相関ピークを検出できることとなり、この相関ピークを利用してＰＳＣＨを検出する。また、相互相関は、例えば以下のようにして行われる。まず、移動局装置は、受信側でＰＳＣＨとして送信されるシンボル系列の時間波形のレプリカを作成しておく。そして、移動局装置は、受信信号とレプリカとの相関を取る。これにより、移動局装置は、ＰＳＣＨを送信しているタイミングにおいてのみ、相関ピークを検出できることとなり、この相関ピークを利用してＰＳＣＨを検出する。
【００１０】
次に、移動局装置は、ＳＳＣＨを受信することにより、無線フレームタイミングとセルＩＤのグループとを検出する。ＳＳＣＨは、無線フレームの０スロット目と１０スロット目とにそれぞれ異なる形で定義されている。また、ＳＳＣＨは、セルＩＤをいくつかのグループに分けたグループ毎に異なるシンボル系列として定義されている。移動局装置は、このシンボル系列を元に、ＰＳＣＨと同様に、自己相関や相互相関による相関検出によりＳＳＣＨを検出する。これにより、移動局装置は、無線フレームタイミングとセルＩＤのグループとを特定する。
【００１１】
次に、移動局装置は、リファレンス信号を受信することにより、セルＩＤを検出する。セルＩＤのグループ内では、セルＩＤ毎に異なるシンボル系列が定義されている。基地局は、基地局のセルＩＤに対応したシンボル系列として、リファレンス信号を送信する。そして、移動局装置は、ＳＳＣＨの検出によって特定したセルＩＤのグループ内のいくつかのセルＩＤに対応したリファレンス信号のシンボル系列を元に、受信信号との相関を取る。これにより、移動局装置は、リファレンス信号を検出してセルＩＤを特定する。
【００１２】
このように、セルサーチ方法では、一般的に複数の信号を順番に受信し、それぞれの信号について、相関検出などを行うことによりそれぞれの送信周波数チャンネルで信号が受信できるかどうかを判断して、最終的に基地局との同期を行うこととなる。
【００１３】
また、基地局の送信周波数チャンネルは、例えば３ＧのＷ−ＣＤＭＡ方式の場合、中心周波数の間隔が２００ＫＨｚで定義されている。この送信周波数チャンネルは、ある周波数帯域（６０ＭＨｚ）において２７７定義されている。なお、周波数帯域は６０ＭＨｚだけではなく、他にも複数の帯域が定義されている。このため、実際にはかなりの数の送信周波数チャンネルが定義されていることになる。また、実際に基地局がどの送信周波数チャンネルを使用しているかについては事業者毎に異なる。また、Ｅ−ＵＴＲＡにおいても、３Ｇと同一の周波数を使用することが検討されており、周波数チャンネルは同様に定義される予定となっている。
【非特許文献１】３ＧＰＰ  ＴＲ（Ｔｅｃｈｎｉｃａｌ  Ｒｅｐｏｒｔ）２５．８１４、Ｖ７．１．０（２００６−０９）、Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＵＴＲＡ）．ｈｔｔｐ：／／ｗｗｗ．３ｇｐｐ．ｏｒｇ／ｆｔｐ／Ｓｐｅｃｓ／ｈｔｍｌ−ｉｎｆｏ／２５８１４．ｈｔｍ
【非特許文献２】３ＧＰＰ  ＴＳ  ３６．２１１、Ｖ１．１．０（２００７−０３）、Ｐｈｙｓｉｃａｌ  Ｃｈａｎｎｅｌｓ  ａｎｄ  Ｍｏｄｕｌａｔｉｏｎ．ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ
【発明の開示】
【発明が解決しようとする課題】
【００１４】
上記のように、移動局装置は、システムで定義された基地局のすべての送信周波数チャンネルに対応して受信周波数チャンネルを順番に設定しながら、各受信周波数チャンネルにおいてセルサーチを行うことによって所望の基地局との通信を確立する必要がある。すなわち、移動局装置の電源がＯＮされたときやユーザ操作によりネットワーク再検索を行った場合などにおいて、所望の基地局との通信を確立するまでに非常に長い時間を要してしまうという問題がある。
【００１５】
本発明は、このような従来の課題を解決するためになされたものであり、その目的は、サーチに要する時間を削減することを提供することが可能な移動局装置、移動局装置のサーチ方法、そのサーチ方法を移動局装置に実行させるためのサーチプログラム、および、このサーチプログラムを記憶したコンピュータ読み取り可能な記録媒体を提供することにある。
【課題を解決するための手段】
【００１６】
本発明の移動局装置は、基地局と通信するものであって、複数の周波数チャンネルの信号を受信可能な受信部と、前記受信部により受信された第１の周波数チャンネルの信号に、基地局からの信号が含まれているか否かを検出する検出部と、前記検出部による検出結果に基づいて、次の受信対象の周波数チャンネルとなる第２の周波数チャンネルを決定し、前記受信部を、当該第２の周波数チャンネルの信号を受信可能な状態に制御する制御部とを備え、前記第１の周波数チャンネルの全帯域または前記第１の周波数チャンネルにおいて使用されると推定される第１の推定使用帯域からなる第１帯域と、前記第２の周波数チャンネルの全帯域または前記第２の周波数チャンネルにおいて使用されると推定される第２の推定使用帯域からなる第２帯域とが重ならないように、前記第２の周波数チャンネルを決定することを特徴とする。
【００１７】
この移動局装置によれば、第１の周波数チャンネルの信号が受信されるか検出され、その検出結果に基づいて、次の受信対象の周波数チャンネルとなる第２の周波数チャンネルが決定される。この決定にあたり、第１および第２の周波数チャンネルの全帯域または推定使用帯域のいずれか一方からなる第１帯域と第２帯域とが重ならないように、第２の周波数チャンネルが決定される。
【００１８】
ここで、例えば第１の周波数チャンネルの信号が受信されて、基地局からの信号が含まれていると検出された場合、この周波数チャンネルを利用する事業者等が存在すると判断される。さらに、この周波数チャンネルの帯域付近では、他の事業者等が利用する周波数チャンネルが存在しないことが明らかである。このため、第１の周波数チャンネルに隣接する周波数チャンネルを、第２の周波数チャンネルとして決定せず、第１および第２の周波数チャンネルの全帯域または推定使用帯域からなる第１および第２帯域が重ならないように第２の周波数チャンネルを決定することで、他の事業者等が利用し得ない周波数チャンネルを飛ばすこととなり、サーチに要する時間を削減することができる。
【００１９】
また、本発明の移動局装置において、前記制御部は、予め設定される基地局からの送信周波数チャンネルの帯域幅のうち、最小の帯域幅から、前記第２帯域を求め、求めた前記第２帯域に基づいて、前記第２の周波数チャンネルを決定することが好ましい。
【００２０】
この移動局装置によれば、事業者等に予め設定される複数の送信周波数の帯域幅のうち、最小の帯域幅を採用して、第２の周波数チャンネルの全帯域または推定使用帯域からなる第２帯域を求めることとなる。これにより、他の事業者等が利用する周波数チャンネルの帯域幅が最小のものである場合に、第２の周波数チャンネルの帯域幅を最小のものよりも大きいものであると仮定して第２の周波数チャンネルを決定し、他の事業者等が利用する周波数チャンネルを飛ばしてサーチしてしまう事態を抑制することができる。
【００２１】
また、本発明の移動局装置において、前記制御部は、第１の周波数チャンネルが属する周波数帯において予め定められた送信周波数の帯域幅から、前記第２帯域を求め、求めた前記第２帯域に基づいて、前記第２の周波数チャンネルを決定することが好ましい。
【００２２】
この移動局装置によれば、例えば８００ＭＨｚ帯であれば送信周波数の帯域幅が１０ＭＨｚなど予め決まっている場合、第１の周波数チャンネルが属する周波数帯から、第２の周波数チャンネルの送信周波数の帯域幅が求められることとなる。これにより、正確に第２帯域を求めて、第２の周波数チャンネルについて決定精度の向上を図ることができる。
【００２３】
また、本発明の移動局装置において、前記制御部は、前記第１の周波数チャンネルの信号から、前記第１帯域を特定し、特定した前記第１帯域に基づいて、前記第２の周波数チャンネルを決定することが好ましい。
【００２４】
この移動局装置によれば、実際に受信された第１の周波数チャンネルの信号から、第１の周波数チャンネルの全帯域または推定使用帯域を求めることとなり、受信信号に基づき第２の周波数チャンネルについて決定精度の向上を図ることができる。
【００２５】
また、本発明の移動局装置において、前記制御部は、前記基地局からの信号に含まれる特定のシンボル系列に基づいて、前記第１帯域を特定することが好ましい。
【００２６】
この移動局装置によれば、例えば基地局から周波数帯域幅を示す特定のシンボル系列が含まれている場合に、このシンボル系列に基づき、第１の周波数チャンネルの全帯域または推定使用帯域からなる第１帯域を求めることとなる。これにより、第１帯域を求める際の精度向上を図ることができ、第２の周波数チャンネルについて決定精度の向上を図ることができる。
【００２７】
また、本発明の移動局装置において、前記制御部は、前記基地局から符号化されて送信された特定信号の復号結果から、前記第１帯域を特定することが好ましい。
【００２８】
この移動局装置によれば、例えば基地局から周波数帯域幅を示し且つ符号化された特定信号が含まれている場合に、この特定信号の復号結果に基づき、第１の周波数チャンネルの全帯域または推定使用帯域からなる第１帯域を求めることとなる。これにより、第１帯域を求める際の精度向上を図ることができ、第２の周波数チャンネルについて決定精度の向上を図ることができる。
【００２９】
また、本発明の移動局装置において、前記制御部は、第１の周波数チャンネルが属する周波数帯において予め定められた送信周波数の帯域幅から、前記第１帯域を特定し、特定した第１帯域に基づいて、前記第２の周波数チャンネルを決定することが好ましい。
【００３０】
この移動局装置によれば、実際に受信された第１の周波数チャンネルの周波数帯から、第１の周波数チャンネルの全帯域または推定使用帯域を求めることとなり、周波数帯によって決まる帯域幅に基づき第２の周波数チャンネルについて決定精度の向上を図ることができる。
【００３１】
また、本発明の移動局装置のサーチ方法は、基地局と通信する移動局装置が基地局との通信を確立させる際に移動局装置に実行され、複数の周波数チャンネルの信号を受信可能な受信段階と、前記受信段階において受信された第１の周波数チャンネルの信号に、基地局からの信号が含まれているか否かを検出する検出段階と、前記検出段階における検出結果に基づいて、次の受信対象の周波数チャンネルとなる第２の周波数チャンネルを決定し、当該第２の周波数チャンネルの信号を受信可能な状態に移動局装置を制御する制御段階とを有し、前記制御段階では、前記第１の周波数チャンネルの全帯域または前記第１の周波数チャンネルにおいて使用されると推定される第１の推定使用帯域からなる第１帯域と、前記第２の周波数チャンネルの全帯域または前記第２の周波数チャンネルにおいて使用されると推定される第２の推定使用帯域からなる第２帯域とが重ならないように、前記第２の周波数チャンネルを決定することを特徴とする。
【００３２】
この移動局装置のサーチ方法によれば、第１の周波数チャンネルの信号が受信されるか検出され、その検出結果に基づいて、次の受信対象の周波数チャンネルとなる第２の周波数チャンネルが決定される。この決定にあたり、第１および第２の周波数チャンネルの全帯域または推定使用帯域のいずれか一方からなる第１帯域と第２帯域とが重ならないように、第２の周波数チャンネルが決定される。
【００３３】
ここで、例えば第１の周波数チャンネルの信号が受信されて、基地局からの信号が含まれていると検出された場合、この周波数チャンネルを利用する事業者等が存在すると判断される。さらに、この周波数チャンネルの帯域付近では、他の事業者等が利用する周波数チャンネルが存在しないことが明らかである。このため、第１の周波数チャンネルに隣接する周波数チャンネルを、第２の周波数チャンネルとして決定せず、第１および第２の周波数チャンネルの全帯域または推定使用帯域からなる第１および第２帯域が重ならないように第２の周波数チャンネルを決定することで、他の事業者等が利用し得ない周波数チャンネルを飛ばすこととなり、サーチに要する時間を削減することができる。
【００３４】
また、本発明の移動局装置のサーチ方法において、前記制御段階では、予め設定される基地局からの送信周波数の帯域幅のうち、最小となる周波数の帯域幅から、前記第２帯域を求め、求めた前記第２帯域に基づいて、前記第２の周波数チャンネルを決定することが好ましい。
【００３５】
この移動局装置のサーチ方法によれば、事業者等に予め設定される複数の送信周波数の帯域幅のうち、最小の帯域幅を採用して、第２の周波数チャンネルの全帯域または推定使用帯域からなる第２帯域を求めることとなる。これにより、他の事業者等が利用する周波数チャンネルの帯域幅が最小のものである場合に、第２の周波数チャンネルの帯域幅を最小のものよりも大きいものであると仮定して第２の周波数チャンネルを決定し、他の事業者等が利用する周波数チャンネルを飛ばしてサーチしてしまう事態を抑制することができる。
【００３６】
また、本発明の移動局装置のサーチ方法において、前記制御段階では、第１の周波数チャンネルが属する周波数帯において予め定められた送信周波数の帯域幅から、前記第２帯域を求め、求めた前記第２帯域に基づいて、前記第２の周波数チャンネルを決定することが好ましい。
【００３７】
この移動局装置のサーチ方法によれば、例えば８００ＭＨｚ帯であれば送信周波数の帯域幅が１０ＭＨｚなど予め決まっている場合、第１の周波数チャンネルが属する周波数帯から、第２の周波数チャンネルの送信周波数の帯域幅が求められることとなる。これにより、正確に第２帯域を求めて、第２の周波数チャンネルについて決定精度の向上を図ることができる。
【００３８】
また、本発明の移動局装置のサーチ方法において、前記制御段階では、前記第１の周波数チャンネルの信号から、前記第１帯域を求め、求めた第１帯域に基づいて、前記第２の周波数チャンネルを決定することが好ましい。
【００３９】
この移動局装置のサーチ方法によれば、実際に受信された第１の周波数チャンネルの信号から、第１の周波数チャンネルの全帯域または推定使用帯域を求めることとなり、受信信号に基づき第２の周波数チャンネルについて決定精度の向上を図ることができる。
【００４０】
また、本発明の移動局装置のサーチ方法において、前記制御段階では、前記基地局からの信号に含まれる特定のシンボル系列に基づいて、前記第１帯域を特定することが好ましい。
【００４１】
この移動局装置のサーチ方法によれば、例えば基地局から周波数帯域幅を示す特定のシンボル系列が含まれている場合に、このシンボル系列に基づき、第１の周波数チャンネルの全帯域または推定使用帯域からなる第１帯域を求めることとなる。これにより、第１帯域を求める際の精度向上を図ることができ、第２の周波数チャンネルについて決定精度の向上を図ることができる。
【００４２】
また、本発明の移動局装置のサーチ方法において、前記制御段階では、前記基地局から符号化されて送信された特定信号の復号結果から、前記第１帯域を特定することが好ましい。
【００４３】
この移動局装置のサーチ方法によれば、例えば基地局から周波数帯域幅を示し且つ符号化された特定信号が含まれている場合に、この特定信号の復号結果に基づき、第１の周波数チャンネルの全帯域または推定使用帯域からなる第１帯域を求めることとなる。これにより、第１帯域を求める際の精度向上を図ることができ、第２の周波数チャンネルについて決定精度の向上を図ることができる。
【００４４】
また、本発明の移動局装置のサーチ方法において、前記制御段階では、第１の周波数チャンネルが属する周波数帯において予め定められた送信周波数の帯域幅から、前記第１帯域を特定し、特定した第１帯域に基づいて、前記第２の周波数チャンネルを決定することが好ましい。
【００４５】
この移動局装置のサーチ方法によれば、実際に受信された第１の周波数チャンネルの周波数帯から、第１の周波数チャンネルの全帯域または推定使用帯域を求めることとなり、周波数帯によって決まる帯域幅に基づき第２の周波数チャンネルについて決定精度の向上を図ることができる。
【００４６】
また、本発明のサーチプログラムは、上記サーチ方法を、コンピュータに実行させることを特徴とする。
【００４７】
このサーチプログラムによれば、上記サーチ方法をコンピュータに実行させて、移動局装置等のコンピュータのサーチに要する時間を削減することができる。
【００４８】
また、本発明の記録媒体は、上記サーチプログラムを記録したことを特徴とする。
【００４９】
この移動局装置の記録媒体によれば、上記サーチプログラムをコンピュータに読み込ませて実行させることが可能となり、移動局装置等のコンピュータのサーチに要する時間を削減することができる。
【００５０】
また、本発明の移動局装置は、上記サーチプログラムを読み込んで実行することを特徴とする。
【００５１】
この移動局装置によれば、サーチプログラムを移動局装置が読み込んで、サーチに要する時間を削減することができる。
【発明の効果】
【００５２】
本発明によれば、第１および第２の周波数チャンネルの全帯域または使用帯域からなる第１および第２帯域同士が重ならないように、第２の周波数チャンネルを決定するため、サーチする周波数チャンネルの数を減らし、基地局との通信を確立するまでの時間を短縮することができる。
【発明を実施するための最良の形態】
【００５３】
［第１の実施形態］
以下、本発明の第１の実施形態を図面に基づいて説明する。なお、以下の各図において、同一の要素には同一の符号を付して、重複する説明を省略するものとする。図１は、本発明の第１の実施形態に係る移動局装置を示す構成図である。図１に示すように、移動局装置１は、基地局と通信するものであって、アンテナ１０と、無線部２０と、信号処理部３０と、制御部４０と、アプリケーション部５０とを備えている。
【００５４】
アンテナ１０は、基地局からの送信信号を受信して無線部２０に送信するものである。また、アンテナ１０は、無線部２０から送信された送信信号を基地局に対して送信する機能を有している。無線部２０は、アンテナ１０により受信された受信信号から、所望の信号を取り出し、信号処理部３０へ送信するものである。ここで、所望の信号とは、制御部４０において設定された受信周波数チャンネル番号に基づく信号である。このため、無線部２０は、周波数チャンネル番号の設定を順次変更することにより、複数の周波数チャンネルの信号を受信可能となっている。また、無線部２０は、制御部４０において設定された送信周波数チャンネル番号に基づいて信号処理部３０から送信された信号をアンテナ１０に送信する機能も有している。
【００５５】
信号処理部３０は、無線部２０により取り出された信号について、相関検出、シンボル系列の検出、および制御データの復調などを行うものである。この信号処理部３０は、相関検出、シンボル系列の検出、および制御データの復調などの結果情報を制御部４０に送信する機能も有している。また、信号処理部３０は、ユーザデータの復調などを行い、アプリケーション部５０に送信する機能を有している。さらに、信号処理部３０は、アプリケーション部５０から送信されたユーザデータ、および、制御部４０から送信された制御データについて変調などを行い、変調後の信号を無線部２０に送信する機能を有している。
【００５６】
制御部４０は、移動局装置１の全体を制御するものであって、検出部４１、および周波数チャンネル制御部（制御部）４２を有している。検出部４１は、信号処理部３０から送信された検出結果などをもとにして、無線部２０により受信された周波数チャンネルの信号に、基地局からの信号が含まれているか否かを検出するものである。周波数チャンネル制御部４２は、検出部４１による検出結果に基づいて、次の受信対象の周波数チャンネルを決定するものである。さらに周波数チャンネル制御部４２は、決定した周波数チャンネルの信号を無線部２０が受信できるように、無線部２０を制御するものである。
【００５７】
また、第１の実施形態において基地局からは、基地局が利用する送信周波数チャンネルの帯域幅の情報（例えば上記した１．２５ＭＨｚ、２．５ＭＨｚ、５ＭＨｚ、１０ＭＨｚ、１５ＭＨｚ、２０ＭＨｚなどの情報）が送信されている。すなわち、基地局からの信号には、基地局の送信周波数帯域幅を示すシンボル系列が含まれている。また、第１の実施形態において制御部４０は、このシンボル系列によって示される基地局の送信周波数帯域幅から、次の受信対象の周波数チャンネルを決定する構成となっている。
【００５８】
アプリケーション部５０は、各種ユーザインターフェースを保持し、ユーザの操作に基づいてユーザデータを信号処理部３０に送信したり、信号処理部３０から受信したりするものである。
【００５９】
次に、第１の実施形態に係る移動局装置１のサーチ方法の概略を説明する。まず、周波数チャンネル制御部４２は受信周波数チャンネル（第１の周波数チャンネル）を決定する。これにより、無線部２０は、アンテナ１０を介して受信された信号から、周波数チャンネル制御部４２により決定された第１の周波数チャンネルの信号を取り出すこととなる。次いで、信号処理部３０は、無線部２０によって取り出された信号に対し、相関検出、シンボル系列の復調などを行い、その結果を制御部４０に送信する。
【００６０】
そして、制御部４０の検出部４１は、第１の周波数チャンネルの信号に基地局からの信号が含まれているか否かと、その周波数チャンネルの帯域幅とを検出する。ここで、第１の周波数チャンネルの信号に基地局からの信号が含まれていると判断される場合とは、事業者等に割り当てられる送信周波数帯域幅の中心周波数と、第１の周波数チャンネルが示す周波数とが合致した場合である。
【００６１】
次に、周波数チャンネル制御部４２は、検出部４１の検出結果に基づいて、次の受信対象となる第２の周波数チャンネルを決定する。この際、周波数チャンネル制御部４２は、以下のようにして第２の周波数チャンネルを決定する。例えば第１の周波数チャンネルの信号が受信されて、基地局からの信号（プライマリー同期チャンネルＰＳＣＨ、セカンダリー同期チャンネルＳＳＣＨ、リファレンス信号など）が含まれていると検出された場合、周波数チャンネル制御部４２は、第１の周波数チャンネルが示す周波数を中心周波数として利用する事業者等が存在すると判断する。また、この場合、第１の周波数チャンネルが示す周波数を中心周波数として利用する事業者等が存在するため、第１の周波数チャンネル付近の周波数において、他の事業者等が中心周波数として利用する周波数チャンネルが存在しないことが明らかである。このため、周波数チャンネル制御部４２は、第１の周波数チャンネルから複数チャンネル分だけ離れた周波数チャンネルを、次の受信対象となる第２の周波数チャンネルとして決定する。
【００６２】
さらに、周波数チャンネル制御部４２は、複数チャンネル分だけ離れた周波数チャンネルを、第２の周波数チャンネルとして決定する場合、事業者が利用する送信周波数帯域幅を考慮して第２の周波数チャンネルを決定する。
【００６３】
図２は、図１に示した周波数チャンネル制御部４２による第２の周波数チャンネルの決定の様子を示す概念図である。例えば、受信された第１の周波数チャンネルの信号に基づいて、制御部４０が、第１の周波数チャンネルを利用する事業者等に割り当てられた送信周波数帯域幅を２．５ＭＨｚであると判断したとする。また、周波数チャンネルが２００ＫＨｚごとに一定間隔で設定されるとする。この場合、図２に示すように、第１の周波数チャンネルから２ＭＨｚ離れた周波数チャンネルにおいて１．２５ＭＨｚの送信周波数帯域幅で運用されている場合を想定して、第２の周波数チャンネルを決定する。
【００６４】
具体的に説明する。まず、第１の周波数チャンネルを利用する事業者等に割り当てられた送信周波数帯域幅は２．５ＭＨｚであるため、少なくとも第１の周波数チャンネルから６チャンネル（（２．５ＭＨｚ／２）／０．２ＭＨｚ）離れた周波数チャンネルにおいて、他の事業者等が利用する周波数チャンネルは存在しないと考えられる。また、事業者等に割り当てられる送信周波数帯域幅のうち、最小の帯域幅（例えば１．２５ＭＨｚ）が他の事業者等に割り当てられている可能性があるため、他の事業者等の送信周波数帯域幅を１．２５ＭＨｚと仮定する。この場合、上記６チャンネルに１チャンネルや２チャンネル加えて第２の周波数チャンネルを設定したとしても、他の事業者等が利用する周波数チャンネルをとらえることができないと考えられる。このため、周波数チャンネル制御部４２は、上記６チャンネルに３チャンネル（（１．２５ＭＨｚ／２）／０．２ＭＨｚ）加え、９チャンネル離れた周波数チャンネルにおいて他の事業者等が利用する周波数チャンネルが存在し得ると判断する。さらに、２つの送信周波数帯域幅は互いに重ならないように運用されていると考えられる。このため、周波数チャンネル制御部４２は、上記９チャンネルにさらに１チャンネル加える。そして、周波数チャンネル制御部４２は、第１の周波数チャンネルからｆｄｅｌｔａ＝１０チャンネル（６＋３＋１チャンネル＝２ＭＨｚ）離れた周波数チャンネルを、第２の周波数チャンネルとして決定する。このように、周波数チャンネル制御部４２は、第１の周波数チャンネルの全帯域と、第２の周波数チャンネルの全帯域とが重ならないように、第２の周波数チャンネルを決定する。
【００６５】
図３は、図１に示した周波数チャンネル制御部４２による第２の周波数チャンネルの決定の様子を示す第２の概念図である。各事業者等は、送信周波数帯域幅の全帯域を信号送信に利用しているとは限らない。すなわち、各事業者等は、中心周波数から離れた帯域を信号送信に利用していない場合がある。このため、図３に示すように、周波数チャンネル制御部４２は、図２よりｆｄｅｌｔａを数チャンネル少なくして第１の周波数チャンネルから８チャンネルや９チャンネルなど離れた周波数チャンネルを、第２の周波数チャンネルとして決定してもよい。このように、周波数チャンネル制御部４２は、第１の周波数チャンネルにおいて使用されると推定される第１の推定使用帯域と、第２の周波数チャンネルにおいて使用されると推定される第２の推定使用帯域とが重ならないように、第２の周波数チャンネルを決定してもよい。これにより、図２に示した例よりも、漏れの少ないサーチを行うようにしている。
【００６６】
なお、図２と図３に示した例を組み合わせて、第２の周波数チャンネルを決定してもよい。例えば、周波数チャンネル制御部４２は、第１の周波数チャンネルの全帯域と、第２の周波数チャンネルにおいて使用されると推定される第２の推定使用帯域とが重ならないように、第２の周波数チャンネルを決定してもよい。さらに、周波数チャンネル制御部４２は、第１の周波数チャンネルにおいて使用されると推定される第１の推定使用帯域と、第２の周波数チャンネルの全帯域とが重ならないように、第２の周波数チャンネルを決定してもよい。また、各周波数チャンネルの推定使用帯域の帯域幅は、移動局装置１の記憶部に予め記憶されていてよいし、移動局装置１が随時演算して求めてもよい。
【００６７】
ところで、第１の周波数チャンネルの信号が受信されず、基地局からの信号が含まれていないと検出された場合、周波数チャンネル制御部４２は、第１の周波数チャンネルを利用する事業者等が存在しないと判断する。この場合、第１の周波数チャンネルの付近の周波数において、事業者等が利用する周波数チャンネルが存在する可能性がある。よって、周波数チャンネル制御部４２は、第１の周波数チャンネルに隣接する周波数チャンネルを、次の受信対象となる第２の周波数チャンネルとして決定する。
【００６８】
次に、第１の実施形態に係る移動局装置１のサーチ方法の詳細を説明する。図４は、第１の実施形態に係る移動局装置１のサーチ方法の詳細を示すフローチャートである。なお、図４ではＥ−ＵＴＲＡを想定したサーチ方法を説明するものとする。また、図４では、ある特定の連続した周波数帯域（６０ＭＨｚ）において、一定の間隔（２００ＫＨｚ）で定義された２７７の周波数チャンネルが存在し、周波数の低い方から順に０から２７６まで周波数チャンネル番号が定義されている。ここで、６０ＭＨｚの周波数帯域のうち、両端の約２．５ＭＨｚずつ（計約５ＭＨｚ）の帯域には周波数チャンネルを配置していないため、周波数チャンネルの数は、６０ＭＨｚ÷２００ＫＨｚ＝３００より少ない２７７となっている。但し、周波数チャンネル番号の定義の仕方、周波数チャンネルの間隔が一定かどうかなど、周波数チャンネルの定義の仕方については特に制限されるものではなく、どのように定義されていてもかまわない。
【００６９】
まず、図４に示すように、制御部４０の周波数チャンネル制御部４２は、受信周波数チャンネル番号を「０」に設定する（Ｓ１）。すなわち、周波数チャンネル制御部４２は、受信周波数チャンネル番号を示す変数ｆｉｄ＿ｎｏに「０」を代入する。これにより、無線部２０は、アンテナ１０により受信された受信信号から、受信周波数チャンネル番号に基づく所望の信号を取り出し、信号処理部３０に送出する。
【００７０】
次に、信号処理部３０は、制御部４０から指定されたプライマリー同期チャンネルＰＳＣＨのシンボル系列の検出を行い、制御部４０の検出部４１は、基地局からの信号にプライマリー同期チャンネルＰＳＣＨが含まれているか否か、すなわち受信できたか否かを判定する（Ｓ２）。この判定については、従来例で説明しているように、自己相関や相互相関による相関検出により行う。
【００７１】
そして、プライマリー同期チャンネルＰＳＣＨが受信されなかった場合（Ｓ２：ＮＯ）、周波数チャンネル制御部４２は、変数ｆｄｅｌｔａに「１」を代入する（Ｓ８）。その後、周波数チャンネル制御部４２は、次の受信対象となる周波数チャンネル番号（第２の周波数チャンネルの番号）を決定する（Ｓ９）。すなわち、周波数チャンネル制御部４２は、ｆｉｄ＿ｎｏ＝ｆｉｄ＿ｎｏ＋ｆｄｅｌｔａなる演算を行って、次の受信対象となる周波数チャンネル番号を決定する。このように、プライマリー同期チャンネルＰＳＣＨが受信されない場合（Ｓ２：ＮＯ）、現在の周波数チャンネル（第１の周波数チャンネル）を利用する事業者等が存在しないと判断できる。また、この場合、現在の周波数チャンネル付近の周波数において、他の事業者等が利用する周波数チャンネルが存在する可能性がある。このため、周波数チャンネル制御部４２は、ステップＳ８およびステップＳ９に示すように、現在の周波数チャンネルに隣接する周波数チャンネルを、次の受信対象となる周波数チャンネルとして決定する。
【００７２】
また、プライマリー同期チャンネルＰＳＣＨが受信された場合（Ｓ２：ＹＥＳ）、信号処理部３０は、制御部４０から指定されたセカンダリー同期チャンネルＳＳＣＨのシンボル系列の検出を行い、制御部４０の検出部４１は、基地局からの信号にセカンダリー同期チャンネルＳＳＣＨが含まれているか否か、すなわち受信できたか否かを判定する（Ｓ３）。この判定については、従来例で説明しているように、自己相関や相互相関による相関検出により行う。
【００７３】
そして、セカンダリー同期チャンネルＳＳＣＨが受信された場合（Ｓ３：ＹＥＳ）、信号処理部３０は、制御部４０から指定されたリファレンス信号のシンボル系列の検出を行う。そして、検出部４１は、基地局からの信号にリファレンス信号が含まれているか否か、すなわち受信できたか否かを判定する（Ｓ４）。この判定については、従来例で説明しているように、自己相関や相互相関による相関検出により行う。
【００７４】
リファレンス信号が受信された場合（Ｓ４：ＹＥＳ）、周波数チャンネル制御部４２は、リファレンス信号から、現在受信している周波数チャンネルの送信周波数帯域幅を判別する（Ｓ５）。ここで、リファレンス信号には、例えば６つの送信周波数帯域幅（１．２５ＭＨｚ、２．５ＭＨｚ、５ＭＨｚ、１０ＭＨｚ、１５ＭＨｚ、２０ＭＨｚ）毎に異なるシンボル系列が定義されている。すなわち、基地局側が送信周波数帯域幅に対応したシンボル系列を送信することで、移動局装置１側はリファレンス信号を受信した際に、送信周波数帯域幅を判別することができる。なお、リファレンス信号には、従来と同様に、セルＩＤ毎に異なるシンボル系列についても定義されている。
【００７５】
その後、周波数チャンネル制御部４２は、ｆｄｅｌｔａを決定する（Ｓ６）。このとき、周波数チャンネル制御部４２は、図２を参照して説明したように、ｆｄｅｌｔａを算出する。例えば、周波数チャンネル制御部４２は、現在の周波数チャンネルを利用する事業者等に割り当てられた送信周波数帯域幅を２．５ＭＨｚであると判断し、最小の送信周波数帯域幅が１．２５ＭＨｚであると判断した場合、ｆｄｅｌｔａを「１０」と決定する。また、漏れなくサーチを行う場合には、図３を参照して説明したように、周波数チャンネル制御部４２は、ｆｄｅｌｔａを図２の場合の「１０」より所定数だけ小さい「８」または「９」などに決定してもよい。
【００７６】
そして、周波数チャンネル制御部４２は、ｆｉｄ＿ｎｏ＝ｆｉｄ＿ｎｏ＋ｆｄｅｌｔａなる演算を行って、次の受信対象となる周波数チャンネル番号を決定する（Ｓ９）。このように、周波数チャンネル制御部４２は、第１の周波数チャンネルの全帯域または推定使用帯域からなる第１帯域と、第２の周波数チャンネルの全帯域または推定使用帯域からなる第２帯域とが重ならないように、第２の周波数チャンネルを決定することとなる。なお、抜けのないサーチを行うためには、図３に示す例のように、ｆｄｅｌｔａを「１０」よりも少し小さい値とすることが望ましい。すなわち、実際の通信システムに適用した場合、実際の通信システムに応じて正常なサーチが行われるように、ｆｄｅｌｔａが適宜設定されることが必須条件となる。
【００７７】
また、セカンダリー同期チャンネルＳＳＣＨが受信されなかった場合（Ｓ３：ＮＯ）、またはリファレンス信号が受信されなかった場合（Ｓ４：ＮＯ）、処理はステップＳ７に移行する。これらの場合、リファレンス信号が受信されていないため、現在受信している周波数チャンネルの送信周波数帯域幅を判別することができない。そこで、周波数チャンネル制御部４２は、予め事業者等に設定された送信周波数帯域幅のうち、最小となる周波数帯域幅を基準に、ｆｄｅｌｔａを決定する（Ｓ７）。具体的には以下のようにして、ｆｄｅｌｔａが決定される。
【００７８】
図５は、図１に示した周波数チャンネル制御部４２のステップＳ７の処理による第２の周波数チャンネルの決定の様子を示す第３の概念図である。リファレンス信号が受信されなかった場合、第１の周波数チャンネルの全帯域や推定使用帯域が不明となる。しかし、ステップＳ２においてプライマリー同期チャンネルＰＳＣＨが受信されていることから、少なくとも現在受信している周波数チャンネルで基地局から信号が送信されていることは明らかである。そこで、周波数チャンネル制御部４２は、第１の周波数チャンネルの全帯域を、送信周波数帯域幅のうち最小のもの（例えば１．２５ＭＨｚ）と仮定する。
【００７９】
同様に、周波数チャンネル制御部４２は、第２の周波数チャンネルの全帯域を、送信周波数帯域幅のうち最小のもの（例えば１．２５ＭＨｚ）と仮定する。これにより、現在の周波数チャンネルの最も近くで運用されている可能性がある周波数チャンネルを飛ばすことなく、ｆｄｅｌｔａを決定することができる。図５に示す例において、第１の周波数チャンネルの全帯域が１．２５ＭＨｚであり、第２の周波数チャンネルの全帯域が１．２５ＭＨｚである。このため、周波数チャンネル制御部４２は、ｆｄｅｌｔａを「７」（１．４ＭＨｚ分）に設定する。これにより、最も近くで運用されている可能性がある周波数チャンネルを飛ばすことなく、ｆｄｅｌｔａを決定することができる。なお、周波数チャンネル制御部４２は、図３と同様に全帯域でなく推定使用帯域に基づいてｆｄｅｌｔａを決定してもよい。
【００８０】
図４に戻り、その後、周波数チャンネル制御部４２は、ｆｉｄ＿ｎｏ＝ｆｉｄ＿ｎｏ＋ｆｄｅｌｔａなる演算を行って、次の受信対象となる周波数チャンネル番号を決定する（Ｓ９）。これにより、少しでも無駄なサーチを省略することができ、かつ抜けのないサーチを行うことができる。
【００８１】
ステップＳ９の後、周波数チャンネル制御部４２は、サーチすべき受信周波数チャンネルが残っているかどうかを判断する（Ｓ１０）。すなわち、ｆｉｄ＿ｎｏが２７７より小さく（最大値を超えず）、サーチすべき受信周波数チャンネルが残っている場合（Ｓ１０：ＹＥＳ）、処理はステップＳ２に移行し、ステップＳ９において定義された周波数チャンネル番号ｆｉｄ＿ｎｏでステップＳ２からの処理が行われる。一方、ｆｉｄ＿ｎｏが２７７かそれ以上であり、サーチすべき受信周波数チャンネルが残っていない場合（Ｓ１０：ＮＯ）、図４に示す処理は終了する。
【００８２】
以上のようにして、第１の実施形態に係る移動局装置１およびそのサーチ方法によれば、周波数チャンネル制御部４２は、第１および第２の周波数チャンネルの全帯域または推定使用帯域のいずれか一方からなる第１帯域と第２帯域とが重ならないように、第２の周波数チャンネルを決定する。ここで、例えば第１の周波数チャンネルの信号が受信されて、基地局からの信号が含まれていると検出された場合、この周波数チャンネルを利用する事業者等が存在すると判断される。さらに、この周波数チャンネルの帯域付近では、他の事業者等が利用する周波数チャンネルが存在しないことが明らかである。このため、第１の周波数チャンネルに隣接する周波数チャンネルを、第２の周波数チャンネルとして決定せず、第１および第２の周波数チャンネルの全帯域または推定使用帯域からなる第１および第２帯域が重ならないように第２の周波数チャンネルを決定することで、他の事業者等が利用し得ない周波数チャンネルを飛ばすこととなり、サーチに要する時間を削減することができる。
【００８３】
また、周波数チャンネル制御部４２は、複数の送信周波数帯域幅のうち、最小の帯域幅を採用して、第２の周波数チャンネルの全帯域または推定使用帯域からなる第２帯域を求める。これにより、他の事業者等が利用する周波数チャンネルの帯域幅が実際には最小のものである場合に、第２の周波数チャンネルの帯域幅を最小のものよりも大きいものであると仮定して第２の周波数チャンネルを決定し、他の事業者等が利用する周波数チャンネルを飛ばしてサーチしてしまう事態を抑制することができる。
【００８４】
また、周波数チャンネル制御部４２は、第１の周波数チャンネルの信号から、第１帯域を特定するため、実際に受信された第１の周波数チャンネルの信号から、第１の周波数チャンネルの全帯域または推定使用帯域を求めることとなり、受信信号に基づき、第２の周波数チャンネルについて決定精度の向上を図ることができる。
【００８５】
また、周波数チャンネル制御部４２は、基地局からの信号に含まれる特定のシンボル系列に基づいて、第１帯域を特定するため、基地局から周波数帯域幅を示す特定のシンボル系列が含まれている場合に、このシンボル系列に基づき、第１の周波数チャンネルの全帯域または推定使用帯域からなる第１帯域を求めることとなる。これにより、第１帯域を求める際の精度向上を図ることができ、第２の周波数チャンネルについて決定精度の向上を図ることができる。
【００８６】
［第２の実施形態］
次に、本発明の第２の実施形態を説明する。図６は、第２の実施形態に係る移動局装置２の構成を示す概略ブロック図である。移動局装置２の構成およびそのサーチ方法は、第１の実施形態の移動局装置１と制御部７０、検出部７１、周波数チャンネル制御部７２、信号処理部６０の処理内容が一部異なっているが、その他の部分（１０、２０、５０）は同じである。以下、第１の実施形態との相違点を説明する。
【００８７】
図７は、第２の実施形態に係る移動局装置１のサーチ方法の詳細を示すフローチャートである。図７ではＥ−ＵＴＲＡと異なり、１つの信号だけを利用してサーチを行うサーチ方法を説明する。また、図７では、ある特定の連続した周波数帯域（６０ＭＨｚ）において、一定の間隔（２００ＫＨｚ）で定義された２７７の周波数チャンネルが存在し、周波数の低い方から順に０から２７６まで周波数チャンネル番号が定義されている。
【００８８】
第２の実施形態において信号処理部６０は、制御部７０から指定された信号１を検出し、制御部７０の検出部７１は、基地局からの信号に信号１が含まれているか否か、すなわち信号１を受信できたか否かを判定する（Ｓ１１）。この判定については、従来例で説明しているように、自己相関や相互相関による相関検出により行う。
【００８９】
信号１が受信できなかった場合（Ｓ１１：ＮＯ）、処理は、ステップＳ８およびステップＳ９を経て、ステップＳ１０に移行する。一方、信号１が受信された場合（Ｓ１１：ＹＥＳ）、制御部７０は、信号１から、現在受信している周波数チャンネルの送信周波数帯域幅を判別する（Ｓ１２）。ここで、信号１には、第１の実施形態のリファレンス信号と同様に、例えば６つの送信周波数帯域幅（例えば１．２５ＭＨｚ、２．５ＭＨｚ、５ＭＨｚ、１０ＭＨｚ、１５ＭＨｚ、２０ＭＨｚ）毎に異なるシンボル系列が定義されている。すなわち、基地局側が送信周波数帯域幅に対応したシンボル系列を送信することで、移動局装置２側は信号１を受信した際に、送信周波数帯域幅を判別することができる。
【００９０】
なお、送信周波数帯域幅の判別方法は、これに限らず、以下のようになっていてもよい。例えば、基地局が、現在運用中の送信周波数帯域幅を示す信号を符号化して送信し、移動局装置２が信号１を受信して復号化することにより、送信周波数帯域幅が判別されてもよい。
【００９１】
その後、周波数チャンネル制御部７２は、図４のステップＳ６と同様の処理を行う（Ｓ６）。そして、処理はステップＳ９を経て、ステップＳ１０に至る。ステップＳ１０において周波数チャンネル制御部７２は、サーチすべき受信周波数チャンネルが残っているか否かを判断する（Ｓ１０）。サーチすべき受信周波数チャンネルが残っている場合（Ｓ１０：ＮＯ）、処理はステップＳ１１に移行する。一方、サーチすべき受信周波数チャンネルが残っていない場合（Ｓ１０：ＹＥＳ）、図７に示す処理は終了する。
【００９２】
以上のようにして、第２の実施形態に係る移動局装置２およびそのサーチ方法によれば、第１の実施形態と同様に、サーチに要する時間を削減することができる。また、他の事業者等が利用する周波数チャンネルを飛ばしてサーチしてしまう事態を抑制することができる。また、第２の周波数チャンネルについて決定精度の向上を図ることができる。
【００９３】
また、周波数チャンネル制御部７２は、基地局から符号化されて送信された特定信号の復号結果から、第１帯域を特定するため、例えば基地局から周波数帯域幅を示し且つ符号化された特定信号が含まれている場合に、この特定信号の復号結果に基づき、第１の周波数チャンネルの全帯域または推定使用帯域からなる第１帯域を求めることとなる。これにより、第１帯域を求める際の精度向上を図ることができ、第２の周波数チャンネルについて決定精度の向上を図ることができる。
【００９４】
［第３の実施形態］
次に、本発明の第３の実施形態を説明する。図８は、第３の実施形態に係る移動局装置３の構成を示す概略ブロック図である。移動局装置３の構成およびそのサーチ方法は、第２の実施形態の移動局装置２と制御部８０、周波数チャンネル制御部８２の処理内容が一部異なっているが、その他の部分（１０、２０、５０、６０、７１）は同じである。以下、第２の実施形態との相違点を説明する。
【００９５】
図９は、第３の実施形態に係る移動局装置３のサーチ方法の詳細を示すフローチャートである。図９では、Ｅ−ＵＴＲＡと異なり、基地局からの信号に、送信周波数帯域幅を特定する情報が含まれていない場合のサーチ方法を説明するものとする。また、図９では、ある特定の連続した周波数帯域（６０ＭＨｚ）において、一定の間隔（２００ＫＨｚ）で定義された２７７の周波数チャンネルが存在し、周波数の低い方から順に０から２７６まで周波数チャンネル番号が定義されている。
【００９６】
まず、第３の実施形態では、現在受信している周波数チャンネルの送信周波数帯域幅を判別できない。このため、信号１が受信された場合（Ｓ１１：ＹＥＳ）、周波数チャンネル制御部８２は、最小の送信周波数帯域幅をもとにｆｄｅｌｔａを決定する（ステップＳ７）。このとき、制御部８０は、図４のステップＳ７および図５に示したようにして、ｆｄｅｌｔａを決定する。その後、処理はステップＳ９およびＳ１０を経て終了する。
【００９７】
以上のようにして、第３の実施形態に係る移動局装置３およびそのサーチ方法によれば、第２の実施形態と同様に、サーチに要する時間を削減することができる。また、他の事業者等が利用する周波数チャンネルを飛ばしてサーチしてしまう事態を抑制することができる。また、第２の周波数チャンネルについて決定精度の向上を図ることができる。
【００９８】
［第４の実施形態］
次に、本発明の第４の実施形態を説明する。図１０は、第４の実施形態に係る移動局装置４の構成を示す概略ブロック図である。移動局装置４の構成およびそのサーチ方法は、第２の実施形態の移動局装置２と制御部９０、周波数チャンネル制御部７２の処理内容が一部異なっているが、その他の部分（１０、２０、５０、６０、７１）は同じである。以下、第２の実施形態との相違点を説明する。
【００９９】
図１１は、第４の実施形態に係る移動局装置１のサーチ方法の詳細を示すフローチャートである。図１１では、周波数チャンネルに応じて送信周波数帯域幅が一意に決まっている場合のサーチ方法を説明するものとする。また、図１１では、ある特定の連続した周波数帯域（６０ＭＨｚ）において、一定の間隔（２００ＫＨｚ）で定義された２７７の周波数チャンネルが存在し、周波数の低い方から順に０から２７６まで周波数チャンネル番号が定義されている。
【０１００】
第４の実施形態に係る移動局装置４は、第１の周波数チャンネルが属する周波数帯から送信周波数帯域幅を判別できる構成となっている。図１２は、周波数帯と該周波数帯における周波数チャンネルの送信周波数帯域幅との対応関係を示す相関図である。図１２に示すように、例えば２ＧＨｚ帯における送信周波数帯域幅は５ＭＨｚであり、８００ＭＨｚ帯における送信周波数帯域幅は１０ＭＨｚであると予め定まっているとする。この場合、現在の周波数チャンネルが２ＭＨｚ帯に属していれば、第１の周波数チャンネルの全帯域は５ＭＨｚであると判断できると共に、第２の周波数チャンネルの全帯域についても５ＭＨｚであると判断できる。同様に、現在の周波数チャンネルが８００ＭＨｚ帯に属していれば、第１の周波数チャンネルの全帯域は１０ＭＨｚであると判断できると共に、第２の周波数チャンネルの全帯域についても１０ＭＨｚであると判断できる。
【０１０１】
このため、信号１が受信された場合（Ｓ１１：ＹＥＳ）、周波数チャンネル制御部９２は、現在の周波数チャンネルが属する周波数帯において予め定められた送信周波数の帯域幅から、第１および第２の周波数チャンネルの送信周波数帯域幅を判別する（Ｓ１３）。その後、周波数チャンネル制御部４２は、第１の周波数チャンネルの全帯域を求めると共に、第２の周波数チャンネルの全帯域を求め、ｆｄｅｌｔａを決定する（Ｓ１４）。その後、処理はステップＳ９およびＳ１０を経て終了する。
【０１０２】
なお、第４の実施形態に係る移動局装置４は、第１の周波数チャンネルが属する周波数帯に基づいて、第１の周波数チャンネルの全帯域、および第２の周波数チャンネルの全帯域を求める構成となっているが、これに限らず、一方のみの全帯域を求める構成になっていてもよい。ここで、移動局装置４が第１の周波数チャンネルの全帯域のみを求めた場合、第２の周波数チャンネルの全帯域については、最小の送信周波数帯域幅を採用することが望ましい。サーチの抜けを防止することができるためである。さらに、第４の実施形態に係る移動局装置４は、全帯域から推定使用帯域を求め、ｆｄｅｌｔａを決定する構成になっていてもよい。
【０１０３】
以上のようにして、第４の実施形態に係る移動局装置４およびそのサーチ方法によれば、第２の実施形態と同様に、サーチに要する時間を削減することができる。また、他の事業者等が利用する周波数チャンネルを飛ばしてサーチしてしまう事態を抑制することができる。
【０１０４】
また、周波数チャンネル制御部９２は、第１の周波数チャンネルが属する周波数帯において予め定められた送信周波数の帯域幅から、第２帯域を求め、求めた第２帯域に基づいて、第２の周波数チャンネルを決定する。ここで、例えば８００ＭＨｚ帯であれば送信周波数の帯域幅が１０ＭＨｚなど予め決まっているとする。この場合、周波数チャンネル制御部９２は、第１の周波数チャンネルが属する周波数帯から、第２の周波数チャンネルの送信周波数の帯域幅を求めることができる。これにより、正確に第２帯域を求めて、第２の周波数チャンネルについて決定精度の向上を図ることができる。
【０１０５】
以上、実施形態に基づき本発明を説明したが、本発明は上記実施形態に限られるものではなく、本発明の趣旨を逸脱しない範囲で、変更を加えてもよい。例えば、上記実施形態において、Ｅ−ＵＴＲＡや１つの信号を使用してセルサーチを行う通信システムを説明した。しかし、通信システムは、これらに限られるものではなく、基地局からの送信周波数帯域幅が複数定義されているような通信システムであれば、他のものであっても適用可能である。また、セルサーチに使用される信号の数についても特に制限されない。
【０１０６】
また、上記第１から第４の実施形態では、ある特定の連続した周波数帯域（６０ＭＨｚ）において、一定の間隔（２００ＫＨｚ）で定義された２７７の周波数チャンネルが存在し、周波数の低い方から順に０から２７６まで周波数チャンネル番号が定義されている例を説明した。しかし、周波数チャンネルは一定間隔で定義されている必要はなく、また、周波数チャンネル番号の定義の仕方についても特にこれに限られない。
【０１０７】
また、上記第１から第４の実施形態では、移動局装置１〜４およびそのサーチ方法について説明したが、本発明はこれらに限定されるものではない。例えば、上記サーチ方法を実行できないような移動局装置であっても上記各実施形態記載の内容をプログラム化し、当該プログラムを取り込むことによって上記サーチ方法を実行できる移動局装置であってもよい。なお、プログラムの取り込みは、例えばメモリカードのような記録媒体を介して移動局装置内に直接取り込むような構成や、ＣＤ−ＲＯＭなどにサーチプログラムを保存し、このＣＤ−ＲＯＭに記録されたプログラムを移動局装置に接続したＰＣ等によって移動局装置に書き込む構成でもよい。さらには、移動局装置が基地局を経由して当該プログラムをダウンロードするような構成でもよい。
【図面の簡単な説明】
【０１０８】
【図１】本発明の第１の実施形態に係る移動局装置１の構成を示す概略ブロック図である。
【図２】同実施形態における周波数チャンネル制御部４２による第２の周波数チャンネルの決定の様子を示す概念図である。
【図３】同実施形態における周波数チャンネル制御部４２による第２の周波数チャンネルの決定の様子を示す第２の概念図である。
【図４】同実施形態における移動局装置１のサーチ方法の詳細を示すフローチャートである。
【図５】同実施形態における周波数チャンネル制御部４２による第２の周波数チャンネルの決定の様子を示す第３の概念図である。
【図６】本発明の第２の実施形態に係る移動局装置２の構成を示す概略ブロック図である。
【図７】同実施形態における移動局装置２のサーチ方法の詳細を示すフローチャートである。
【図８】本発明の第３の実施形態に係る移動局装置３の構成を示す概略ブロック図である。
【図９】同実施形態における移動局装置３のサーチ方法の詳細を示すフローチャートである。
【図１０】本発明の第４の実施形態に係る移動局装置４の構成を示す概略ブロック図である。
【図１１】同実施形態における移動局装置４のサーチ方法の詳細を示すフローチャートである。
【図１２】周波数帯と送信周波数帯域幅との対応関係を示す相関図である。
【図１３】基本的な下りの無線フレーム構成を示した第１の概念図である。
【図１４】基本的な下りの無線フレーム構成を示した第２の概念図である。
【符号の説明】
【０１０９】
１、２、３、４…移動局装置
１０…アンテナ
２０…無線部
３０、６０…信号処理部
４０、７０、８０、９０…制御部
４１、７１…検出部
４２、７２、８２、９２…周波数チャンネル制御部
５０…アプリケーション部
【図１】
2009021863.tif 000003
【図２】
2009021863.tif 000004
【図３】
2009021863.tif 000005
【図４】
2009021863.tif 000006
【図５】
2009021863.tif 000007
【図６】
2009021863.tif 000008
【図７】
2009021863.tif 000009
【図８】
2009021863.tif 000010
【図９】
2009021863.tif 000011
【図１０】
2009021863.tif 000012
【図１１】
2009021863.tif 000013
【図１２】
2009021863.tif 000014
【図１３】
2009021863.tif 000015
【図１４】
2009021863.tif 000016